(57)【特許請求の範囲】
【請求項１】
正面視で、掲示板主体を含み、前記掲示板主体の中には前方に開口した展示チャンバが設置され、前記展示チャンバの後壁の中にはチラシチャンバが連通するように設置され、前記チラシチャンバの中の前側には透明板がひっくり返されることができるように設置され、ネットで料金を払うことと一つの前記透明板を開けることによって、チラシを前記チラシチャンバの後壁に貼ることができ、前記チラシチャンバの上壁の中には検出器が固定的に設置され、前記展示チャンバの下側と左右両側との中には洗い装置が設置され、前記洗い装置の中には洗いスポンジが設置され、前記検出器が任意の一つの前記透明板の前端に勝手にチラシが貼られることを検出すると、前記洗い装置は前記洗いスポンジをその前記透明板の前側に移動させて前記洗いスポンジに上下左右に移動しながらチラシを洗うことを行わせ、水を噴射しながらチラシを洗い、前記洗い装置の下側には巻き装置が設置され、前記巻き装置の中には水管が設置され、前記巻き装置が前記洗い装置に動力が伝達できるように連結され、前記洗い装置が上下に移動する時、前記巻き装置によって前記水管を同期に引き出し又は巻き付け、前記洗い装置の後側且つ前記チラシチャンバの下側には洗い流し装置が設置され、前記洗い流し装置は前記洗いスポンジに接着した紙くずを洗い流すことができ、また紙を水から分けて取り出すことを特徴とする悪意のある覆いを防止する新型の有料掲示板。
【請求項２】
前記洗い装置は前記展示チャンバの下側に連通するように設置された洗いチャンバを含み、前記洗いチャンバと前記展示チャンバとの左右両側には昇降チャンバが対称的に、且つ連通するように設置され、前記昇降チャンバの中には昇降スクリューが上下に貫通するように、且つ回転できるように設置され、前記洗いチャンバの中には左右両端が前記昇降スクリューにねじ山によって連結された昇降ロッドが上下にスライドできるように設置され、前記昇降ロッドの中には後方に開口した平行移動チャンバが設置され、前記平行移動チャンバの左壁の中には水平モーターが固定的に設置され、前記水平モーターの右端には平行移動スクリューが動力が伝達できるように連結され、前記平行移動チャンバの中には前記平行移動スクリューとねじ山によって連結された平行移動ブロックが左右にスライドできるように設置され、前記洗いスポンジが前記平行移動ブロックの後端面に固定的に設置され、前記平行移動ブロックの後端面の中且つ前記洗いスポンジの下側のところには水噴射口が設置され、前記水管の上端が前記平行移動ブロックの下端に固定的に連結され、且つ前記水噴射口と連通していることを特徴とする請求項１に記載の悪意のある覆いを防止する新型の有料掲示板。
【請求項３】
前記巻き装置は前記洗いチャンバの下側に設置された巻きチャンバを含み、前記巻きチャンバの左右壁の間には巻き軸が回転できるように設置され、前記水管が前記巻き軸に巻き付くように設置され、前記巻き軸の外周面且つ前記水管の左右両側のところには止め板が対称的に、且つ固定的に設置され、前記止め板は前記水管を一層ずつに巻くことを保証でき、前記水管の一番内側の一端が前記巻き軸に固定的に連結され、前記巻き軸の中には右方に開口し、且つ前記水管と連通している通水口が設置されたことを特徴とする請求項２に記載の悪意のある覆いを防止する新型の有料掲示板。
【請求項４】
前記巻きチャンバの左側には減速チャンバが設置され、前記巻き軸の左端が前記減速チャンバの中に伸びたところには従動ベベルギヤが固定的に設置され、前記従動ベベルギヤの上側には噛み合っている主動ベベルギヤが回転できるように設置され、前記主動ベベルギヤの上端にはウォームホイールが一本の軸によって固定的に設置され、左側の前記昇降スクリューの下端が前記減速チャンバを通り抜け、且つウォームホイールとウォームとの連結によって前記ウォームホイールの左端と連結されたことを特徴とする請求項３に記載の悪意のある覆いを防止する新型の有料掲示板。
【請求項５】
前記巻きチャンバの下側にはプーリチャンバが設置され、前記昇降スクリューの下端が前記プーリチャンバの中に伸びたところにはプーリが固定的に設置され、前記プーリの間には伝動ベルトが巻き付くように設置され、前記プーリチャンバの下壁左端には昇降モーターが固定的に設置され、左側の前記プーリが前記昇降モーターの上端に動力が伝達できるように連結されたことを特徴とする請求項４に記載の悪意のある覆いを防止する新型の有料掲示板。
【請求項６】
前記洗い流し装置は前記洗いチャンバの後壁に連通するように設置された洗い流しチャンバを含み、前記洗い流しチャンバの後壁の中の中間には洗いパイプが連通するように設置され、前記洗い流しチャンバの下壁には濾水チャンバが連通するように設置され、前記濾水チャンバの中には濾水板が固定的に設置され、前記濾水チャンバの後壁の下端には後方に開口した水出口が連通するように設置されたことを特徴とする請求項５に記載の悪意のある覆いを防止する新型の有料掲示板。
【請求項７】
前記巻きチャンバの右壁の中には前記通水口と連通した通水パイプが設置され、前記通水パイプの右側には電磁弁が固定的に設置され、前記透明板が前記電磁弁の左側上端に連通しており、前記電磁弁の右側には外部空間に連通した水入りパイプが連通するように設置されたことを特徴とする請求項６に記載の悪意のある覆いを防止する新型の有料掲示板。
【請求項８】
前記透明板の左端が前記チラシチャンバの左壁に動力が伝達できるように連結され、前記透明板の右端面にはロック穴が設置され、前記チラシチャンバの右壁の中には電子ロックが固定的に設置され、前記電子ロックの左端には前記ロック穴の中に伸びたロックブロックが固定的に設置され、前記展示チャンバの上壁にはカメラが固定的に設置され、前記カメラはチラシを貼る悪意のある人の写真を撮ることができることを特徴とする請求項７に記載の悪意のある覆いを防止する新型の有料掲示板。
【発明の詳細な説明】
【技術分野】
【０００１】
本発明は掲示板技術分野に関わり、具体的には悪意のある覆いを防止する新型の有料掲示板である。
【背景技術】
【０００２】
居住地又は一部の公共場所に、掲示板を設置し、チラシを貼ることとチラシに印刷された内容を知らせることを行い、しかし沢山の人はチラシを貼ったばかりで、後者の貼ったチラシに覆われ、あるいは人に悪意で引き落とされ、チラシを保護できなく、簡単にチラシをガラス板又は透明板の後に貼れば、チラシが引き落とされないことしか確保できなく、新しいチラシを直接にガラス板と透明板に貼って依然として覆われ、全般的に保護できない。本発明は上記の問題を解決できる装置を開示した。
【先行技術文献】
【特許文献】
【０００３】
【特許文献１】中国特許出願公開第１０８４０７５３３号明細書
【発明の概要】
【発明が解決しようとする課題】
【０００４】
技術上の問題：
普通の掲示板はチラシを保護できなく、チラシが引き裂かれやすく、また覆われやすく、ガラスを利用するのはチラシを引き裂かないことしか確保できなく、覆われることを依然として避けられない。
【課題を解決するための手段】
【０００５】
上記の問題を解決するために、本発明の実施例は悪意のある覆いを防止する新型の有料掲示板をデザインした。本発明の実施例の悪意のある覆いを防止する新型の有料掲示板は、掲示板主体を含み、前記掲示板主体の中には前方に開口した展示チャンバが設置され、前記展示チャンバの後壁の中にはチラシチャンバが連通するように設置され、前記チラシチャンバの中の前側には透明板がひっくり返されることができるように設置され、ネットで料金を払うことと一つの前記透明板を開けることによって、チラシを前記チラシチャンバの後壁に貼ることができ、前記チラシチャンバの上壁の中には検出器が固定的に設置され、前記展示チャンバの下側と左右両側との中には洗い装置が設置され、前記洗い装置の中には洗いスポンジが設置され、前記検出器が任意の一つの前記透明板の前端に勝手にチラシが貼られることを検出すると、前記洗い装置は前記洗いスポンジをその前記透明板の前側に移動させて前記洗いスポンジに上下左右に移動しながらチラシを洗うことを行わせ、水を噴射しながらチラシを洗い、前記洗い装置の下側には巻き装置が設置され、前記巻き装置の中には水管が設置され、前記巻き装置が前記洗い装置に動力が伝達できるように連結され、前記洗い装置が上下に移動する時、前記巻き装置によって前記水管を同期に引き出し又は巻き付け、前記洗い装置の後側且つ前記チラシチャンバの下側には洗い流し装置が設置され、前記洗い流し装置は前記洗いスポンジに接着した紙くずを洗い流すことができ、また紙を水から分けて取り出す。
【０００６】
好ましくは、前記洗い装置は前記展示チャンバの下側に連通するように設置された洗いチャンバを含み、前記洗いチャンバと前記展示チャンバとの左右両側には昇降チャンバが対称的に、且つ連通するように設置され、前記昇降チャンバの中には昇降スクリューが上下に貫通するように、且つ回転できるように設置され、前記洗いチャンバの中には左右両端が前記昇降スクリューにねじ山によって連結された昇降ロッドが上下にスライドできるように設置され、前記昇降ロッドの中には後方に開口した平行移動チャンバが設置され、前記平行移動チャンバの左壁の中には水平モーターが固定的に設置され、前記水平モーターの右端には平行移動スクリューが動力が伝達できるように連結され、前記平行移動チャンバの中には前記平行移動スクリューとねじ山によって連結された平行移動ブロックが左右にスライドできるように設置され、前記洗いスポンジが前記平行移動ブロックの後端面に固定的に設置され、前記平行移動ブロックの後端面の中且つ前記洗いスポンジの下側のところには水噴射口が設置され、前記水管の上端が前記平行移動ブロックの下端に固定的に連結され、且つ前記水噴射口と連通している。
【０００７】
好ましくは、前記巻き装置は前記洗いチャンバの下側に設置された巻きチャンバを含み、前記巻きチャンバの左右壁の間には巻き軸が回転できるように設置され、前記水管が前記巻き軸に巻き付くように設置され、前記巻き軸の外周面且つ前記水管の左右両側のところには止め板が対称的に、且つ固定的に設置され、前記止め板は前記水管を一層ずつに巻くことを保証でき、前記水管の一番内側の一端が前記巻き軸に固定的に連結され、前記巻き軸の中には右方に開口し、且つ前記水管と連通している通水口が設置された。
【０００８】
好ましくは、前記巻きチャンバの左側には減速チャンバが設置され、前記巻き軸の左端が前記減速チャンバの中に伸びたところには従動ベベルギヤが固定的に設置され、前記従動ベベルギヤの上側には噛み合っている主動ベベルギヤが回転できるように設置され、前記主動ベベルギヤの上端にはウォームホイールが一本の軸によって固定的に設置され、左側の前記昇降スクリューの下端が前記減速チャンバを通り抜け、且つウォームホイールとウォームとの連結によって前記ウォームホイールの左端と連結された。
【０００９】
好ましくは、前記巻きチャンバの下側にはプーリチャンバが設置され、前記昇降スクリューの下端が前記プーリチャンバの中に伸びたところにはプーリが固定的に設置され、前記プーリの間には伝動ベルトが巻き付くように設置され、前記プーリチャンバの下壁左端には昇降モーターが固定的に設置され、左側の前記プーリが前記昇降モーターの上端に動力が伝達できるように連結された。
【００１０】
好ましくは、前記洗い流し装置は前記洗いチャンバの後壁に連通するように設置された洗い流しチャンバを含み、前記洗い流しチャンバの後壁の中の中間には洗いパイプが連通するように設置され、前記洗い流しチャンバの下壁には濾水チャンバが連通するように設置され、前記濾水チャンバの中には濾水板が固定的に設置され、前記濾水チャンバの後壁の下端には後方に開口した水出口が連通するように設置された。
【００１１】
好ましくは、前記巻きチャンバの右壁の中には前記通水口と連通した通水パイプが設置され、前記通水パイプの右側には電磁弁が固定的に設置され、前記透明板が前記電磁弁の左側上端に連通しており、前記電磁弁の右側には外部空間に連通した水入りパイプが連通するように設置された。
【００１２】
好ましくは、前記透明板の左端が前記チラシチャンバの左壁に動力が伝達できるように連結され、前記透明板の右端面にはロック穴が設置され、前記チラシチャンバの右壁の中には電子ロックが固定的に設置され、前記電子ロックの左端には前記ロック穴の中に伸びたロックブロックが固定的に設置され、前記展示チャンバの上壁にはカメラが固定的に設置され、前記カメラはチラシを貼る悪意のある人の写真を撮ることができる。
【発明の効果】
【００１３】
本発明の有益な効果は：本発明は料金を払ってから貼ったチラシを密封保護することで、人が料金を払わない場合でチラシを貼り又は他の人のチラシを悪意で覆う時、貼る人の行為を監視記録し、そして料金を払っていないチラシを自動的に取り除き、料金を払った人によって貼られたチラシを保護し、その後、紙を収集し、水を排出する。
【図面の簡単な説明】
【００１４】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の悪意のある覆いを防止する新型の有料掲示板の全体構成概略図
【図２】図２は図１の「Ａ―Ａ」方向の構成概略図
【図３】図３は図２の「Ｂ」の拡大構成概略図
【図４】図４は図２の「Ｃ―Ｃ」方向の構成概略図
【発明を実施するための形態】
【００１６】
本発明は悪意のある覆いを防止する新型の有料掲示板に関わり、主に掲示板の中に有料で貼られたチラシを保護し、また料金を払わないチラシを取り除くことに用いられ、下記に本発明の附図を合わせて本発明について詳しく説明する。
【００１７】
本発明に記載の悪意のある覆いを防止する新型の有料掲示板は、掲示板主体１１を含み、前記掲示板主体１１の中には前方に開口した展示チャンバ１２が設置され、前記展示チャンバ１２の後壁の中にはチラシチャンバ１３が連通するように設置され、前記チラシチャンバ１３の中の前側には透明板１４がひっくり返されることができるように設置され、ネットで料金を払うことと一つの前記透明板１４を開けることによって、チラシを前記チラシチャンバ１３の後壁に貼ることができ、前記チラシチャンバ１３の上壁の中には検出器１５が固定的に設置され、前記展示チャンバ１２の下側と左右両側との中には洗い装置１０１が設置され、前記洗い装置１０１の中には洗いスポンジ１６が設置され、前記検出器１５が任意の一つの前記透明板１４の前端に勝手にチラシが貼られることを検出すると、前記洗い装置１０１は前記洗いスポンジ１６をその前記透明板１４の前側に移動させて前記洗いスポンジ１６に上下左右に移動しながらチラシを洗うことを行わせ、水を噴射しながらチラシを洗い、前記洗い装置１０１の下側には巻き装置１０２が設置され、前記巻き装置１０２の中には水管１７が設置され、前記巻き装置１０２が前記洗い装置１０１に動力が伝達できるように連結され、前記洗い装置１０１が上下に移動する時、前記巻き装置１０２によって前記水管１７を同期に引き出し又は巻き付け、前記洗い装置１０１の後側且つ前記チラシチャンバ１３の下側には洗い流し装置１０３が設置され、前記洗い流し装置１０３は前記洗いスポンジ１６に接着した紙くずを洗い流すことができ、また紙を水から分けて取り出す。
【００１８】
有益なように、前記洗い装置１０１は前記展示チャンバ１２の下側に連通するように設置された洗いチャンバ１８を含み、前記洗いチャンバ１８と前記展示チャンバ１２との左右両側には昇降チャンバ１９が対称的に、且つ連通するように設置され、前記昇降チャンバ１９の中には昇降スクリュー２１が上下に貫通するように、且つ回転できるように設置され、前記洗いチャンバ１８の中には左右両端が前記昇降スクリュー２１にねじ山によって連結された昇降ロッド２２が上下にスライドできるように設置され、前記昇降ロッド２２の中には後方に開口した平行移動チャンバ２３が設置され、前記平行移動チャンバ２３の左壁の中には水平モーター２４が固定的に設置され、前記水平モーター２４の右端には平行移動スクリュー２５が動力が伝達できるように連結され、前記平行移動チャンバ２３の中には前記平行移動スクリュー２５とねじ山によって連結された平行移動ブロック２６が左右にスライドできるように設置され、前記洗いスポンジ１６が前記平行移動ブロック２６の後端面に固定的に設置され、前記平行移動ブロック２６の後端面の中且つ前記洗いスポンジ１６の下側のところには水噴射口２７が設置され、前記水管１７の上端が前記平行移動ブロック２６の下端に固定的に連結され、且つ前記水噴射口２７と連通している。
【００１９】
有益なように、前記巻き装置１０２は前記洗いチャンバ１８の下側に設置された巻きチャンバ２８を含み、前記巻きチャンバ２８の左右壁の間には巻き軸２９が回転できるように設置され、前記水管１７が前記巻き軸２９に巻き付くように設置され、前記巻き軸２９の外周面且つ前記水管１７の左右両側のところには止め板３０が対称的に、且つ固定的に設置され、前記止め板３０は前記水管１７を一層ずつに巻くことを保証でき、前記水管１７の一番内側の一端が前記巻き軸２９に固定的に連結され、前記巻き軸２９の中には右方に開口し、且つ前記水管１７と連通している通水口３１が設置された。
【００２０】
有益なように、前記巻きチャンバ２８の左側には減速チャンバ３２が設置され、前記巻き軸２９の左端が前記減速チャンバ３２の中に伸びたところには従動ベベルギヤ３３が固定的に設置され、前記従動ベベルギヤ３３の上側には噛み合っている主動ベベルギヤ３４が回転できるように設置され、前記主動ベベルギヤ３４の上端にはウォームホイール３５が一本の軸によって固定的に設置され、左側の前記昇降スクリュー２１の下端が前記減速チャンバ３２を通り抜け、且つウォームホイールとウォームとの連結によって前記ウォームホイール３５の左端と連結された。
【００２１】
有益なように、前記巻きチャンバ２８の下側にはプーリチャンバ３６が設置され、前記昇降スクリュー２１の下端が前記プーリチャンバ３６の中に伸びたところにはプーリ３７が固定的に設置され、前記プーリ３７の間には伝動ベルト３８が巻き付くように設置され、前記プーリチャンバ３６の下壁左端には昇降モーター３９が固定的に設置され、左側の前記プーリ３７が前記昇降モーター３９の上端に動力が伝達できるように連結された。
【００２２】
有益なように、前記洗い流し装置１０３は前記洗いチャンバ１８の後壁に連通するように設置された洗い流しチャンバ４０を含み、前記洗い流しチャンバ４０の後壁の中の中間には洗いパイプ４１が連通するように設置され、前記洗い流しチャンバ４０の下壁には濾水チャンバ４２が連通するように設置され、前記濾水チャンバ４２の中には濾水板４３が固定的に設置され、前記濾水チャンバ４２の後壁の下端には後方に開口した水出口４４が連通するように設置された。
【００２３】
有益なように、前記巻きチャンバ２８の右壁の中には前記通水口３１と連通した通水パイプ４５が設置され、前記通水パイプ４５の右側には電磁弁４６が固定的に設置され、前記透明板１４が前記電磁弁４６の左側上端に連通しており、前記電磁弁４６の右側には外部空間に連通した水入りパイプ４７が連通するように設置された。
【００２４】
有益なように、前記透明板１４の左端が前記チラシチャンバ１３の左壁に動力が伝達できるように連結され、前記透明板１４の右端面にはロック穴４８が設置され、前記チラシチャンバ１３の右壁の中には電子ロック４９が固定的に設置され、前記電子ロック４９の左端には前記ロック穴４８の中に伸びたロックブロック５０が固定的に設置され、前記展示チャンバ１２の上壁にはカメラ５１が固定的に設置され、前記カメラ５１はチラシを貼る悪意のある人の写真を撮ることができる。
【００２５】
下記に、図１〜４を合わせて本発明の悪意のある覆いを防止する新型の有料掲示板の使用ステップを詳しく説明する。
【００２６】
初めに、昇降ロッド２２が洗いチャンバ１８の中に収納されており、平行移動ブロック２６が平行移動チャンバ２３の中間に位置しており、チラシチャンバ１３が閉められており、電磁弁４６が閉じた状態にある。
【００２７】
料金を払ってチラシを貼る時、スマホなどの携帯機器によってネット上で操作し、残されたチラシチャンバ１３のうちから一つを選択し、そして料金を払い、払った後、選択したチラシチャンバ１３の中の電子ロック４９を始動し、またロックブロック５０を移動させてロック穴４８から出し、この時、手動で透明板１４を開け、その後、チラシをチラシチャンバ１３の中に張って透明板１４を閉めばよい。
【００２８】
検出器１５が透明板１４の前端に金を払わなくて他の人のチラシを悪意で覆うチラシが貼られることを検出すると、カメラ５１は最初に貼る人の写真を撮り、貼る人が離れた後、昇降モーター３９が始動されて左側のプーリ３７を回転連動させ、伝動ベルト３８によって右側のプーリ３７を同期的に回転連動させ、さらに昇降スクリュー２１を回転連動させ、ねじ山によって連結によって昇降ロッド２２をチラシの貼った透明板１４のところの一列に上昇連動させ、この時、左側の昇降スクリュー２１はギヤの噛み合いによってウォームホイール３５を回転連動させ、且つ主動ベベルギヤ３４を回転連動させ、ギヤの噛み合いによって従動ベベルギヤ３３を回転連動させ、且つ巻き軸２９を回転連動させ、さらに水管１７を引き出し、この時、水平モーター２４が始動されて平行移動スクリュー２５を回転連動させ、ねじ山による連結によって平行移動ブロック２６をチラシが貼った透明板１４の前側に移動連動させ、この時、電磁弁４６が水入りパイプ４７と通水パイプ４５とを連通し、水が水入りパイプ４７の中に流れ込み、通水パイプ４５が通水口３１の中に流れ込み、水管１７によって水を水噴射口２７の中に送り、さらにチラシに噴射し、この時、昇降モーター３９と水平モーター２４とが正方向又は逆方向に回転し、洗いスポンジ１６を上下左右に移動連動させ、さらにチラシを取り除き、洗浄を完成した後、洗いスポンジ１６を初期状態に戻るまで移動させ、この時、電磁弁４６が洗いパイプ４１と水入りパイプ４７とを連通し、水は洗いパイプ４１から洗いスポンジ１６に噴射されて残された紙くずを押し流し、紙と水が洗い流しチャンバ４０によって濾水チャンバ４２の中に落ち、紙は濾水板４３に落ち、水は水出口４４から流れ出す。
【００２９】
本発明の有益な効果は：本発明は料金を払ってから貼ったチラシを密封保護することで、人が料金を払わない場合でチラシを貼り又は他の人のチラシを悪意で覆う時、貼る人の行為を監視記録し、そして料金を払っていないチラシを自動的に取り除き、料金を払った人によって貼られたチラシを保護し、その後、紙を収集し、水を排出する。
【００３０】
上記の方式によって、当業者は本発明の範囲内で作動モードに基づいて様々な変わりを行うことができる。
【図１】
0006940728.tif 000002
【図２】
0006940728.tif 000003
【図３】
0006940728.tif 000004
【図４】
0006940728.tif 000005